(57)【要約】【課題】小型で、構造が簡単な感情を感知する携帯部材を具えた遠端で制御する医療装置を提供する。【解決手段】携帯部材と、遠端で制御する医療装置とを含み、携帯部材は感温手段と、処理ユニットと、ワイヤレスの送受信ユニットとを内設し、外部には手指に設ける携帯手段が設けられ、感温手段を手指の表面に設けて温度を測り、処理ユニットが感温手段と電気的に接続して感温手段の測定した信号を運算し、送受信ユニットが処理ユニットと電気的に接続し、処理ユニットが得た温度データが送受信ユニットを介してワイヤレスで医療装置に送信され、医療装置は、送受信ユニットと接続する送受信モジュールと、送受信モジュールと電気的に接続する制御ユニットとを内設し、制御ユニットが出力・入力ユニットに電気的に接続して、制御ユニットで設定した指示が送受信モジュールで該携帯部材に送信され、適宜な測定を実施する。【選択図】図１
2009529385.tif 000002
【特許請求の範囲】
【請求項１】
携帯部材と、遠端で制御する医療装置とを含んでなり、
該携帯部材は内部に手指の温度を測定する感温手段と、処理ユニットと、ワイヤレスで送受信する送受信ユニットとを具えてなり、外部に手指に環状に設けてなる携帯手段を設けてなり、該感温手段が、手指の表面に対応して設けられ、該処理ユニットが該感温手段と電気的に接続し、感温手段が測定した信号を運算し、送受信ユニットが該処理ユニットと電気的に接続し、該処理ユニットが取得した温度データが送受信ユニットを介してワイヤレスで遠端で制御する医療装置に送信され、
該遠端で制御する医療装置は、内部に前述の送受信ユニットとワイヤレスで接続する送受信モジュールと、上述の送受信モジュールと電気的に接続する制御ユニットとを具えてなり、該制御ユニットが出力・入力ユニットに電気的に接続して、制御ユニットで設定した指示が送受信モジュールで前述の携帯部材に送信され、必要な測定方法が実行されることを特徴とする感情を感知する携帯部材を具えた遠端で制御する医療装置。
【請求項２】
前記遠端で制御する医療装置が、携帯電話、マルチメディアプレイヤー、ＰＤＡなど携帯型コンピュータ、或いはコンピュータであることを特徴とする請求項１に記載の感情を感知する携帯部材を具えた遠端で制御する医療装置。
【請求項３】
前記処理ユニットがメモリに接続することを特徴とする請求項１に記載の感情を感知する携帯部材を具えた遠端で制御する医療装置。
【請求項４】
前記出力・入力ユニットが、表示器と、キーボードか、或いはデータ送受信インタフェイスに接続し、制御ユニットの内部データを外部で設定を入力するか、修正することができることを特徴とする請求項１に記載の感情を感知する携帯部材を具えた遠端で制御する医療装置。
【請求項５】
前記医療装置が、インターネットに接続し、医者が遠端を介して随時、携帯者の温度データを取得できて、監視・制御及び治療を実施することができる構造からなることを特徴とする請求項１に記載の感情を感知する携帯部材を具えた遠端で制御する医療装置。
【請求項６】
前記医療装置が、通信システムと遠端サーボモータとに接続して、医者が携帯者の携帯部材から送信される温度の信号を取得して、携帯者に直接、オンラインで診断することができる構造からなることを特徴とする請求項１に記載の感情を感知する携帯部材を具えた遠端で制御する医療装置。
【請求項７】
前記携帯部材が、湾曲できる可撓性を具えてなり、携帯者の手指に密着して位置決めすることができる構造からなることを特徴とする請求項１に記載の感情を感知する携帯部材を具えた遠端で制御する医療装置。
【発明の詳細な説明】
【技術分野】
【０００１】
この発明は、遠端で制御する医療装置に関し、特に手指の体温から携帯する人の感情を感知して、感情・ストレスを管理する感情を感知する携帯部材を具えた遠端で制御する医療装置に関する。
【背景技術】
【０００２】
医学の臨床医学では、人の手指の表面温度はその人の感情、或いはストレス反応の指標であって、感情やストレスの調整、或いは克服に役立てることができるとされている。
【０００３】
発明者は、手指の表面温度を測定する器具として、数年前に「手指の温度を感知して感情をリラックスさせることができるリング」「手指の温度を測定して感情がリラックスしていることを感知する手指の携帯具」を研究開発し、国内外で特許を登録した。
【０００４】
アメリカ特許登録番号U.S.Pat.No.５,８１３,７６６、U.S.Pat.No.６,８４６,１０６Ｂ１は特に携帯具を利用して感温手段を固定し、手指の表面に適宜に対応して特定区域の温度状態を感知する構造であって、手指の温度測定には十分な効果を発揮しており、携帯者の感情を改善するために役立っている。
【０００５】
しかしながら、科学技術の進歩や医療技術の上昇に伴って様々な機能が設定できるようになったが、上述の製品の構造では携帯具上の装置や機能を選択するボタン、パネルなどの設計が制限される。
【０００６】
即ち、携帯具にボタンやパネルを設けと、携帯具の体積を縮小できず、手指に携帯すると、大きすぎるとともに、手指から突出した状態になる。
【０００７】
特に手指が比較的小さい子供や年齢の低い人が携帯すると、携帯具の体積により行動が制限される、或いは携帯に適さないなどの問題があった。
【０００８】
さらに、前述の機能選択ボタンは、体積及びパネルのサイズに制限されてパネル上に設ける機能選択ボタンの数が制限されるため、使用できる機能も限られる。
【０００９】
よって、限られた機能選択ボタン上に多くの機能を設けるため、ボタンを操作する時間の長さを変える、或いは同時に複数の機能選択ボタンを操作するなど操作方法で機能を選択しなければならず、操作方法が多様化して非常に不便だった。
【００１０】
また、各機能の回路との間はいずれも一本の切り替え回路に接続させなければ携帯者が機能選択ボタンに毎回接触（押して）必要な設定に切り替えられたのかを確認することができない。
【００１１】
上述のように、複数の回路が一つの機能選択ボタンに接続する設計や、複数回接触（押す）操作方法では、回路の組み立てが複雑で、ショートし易くなり、はなはだしくは全体の使用寿命にも深刻な影響を与える。
【００１２】
また、発明者は「手指の温度を測定して感情がリラックスしていることを感知する手指の携帯具」の温度データの送受信方法では、手指の携帯具が計測した数値はケーブルを介して遠方のコンピュータ、或いはその他装置に接続し、機能選択ボタンで操作しなければデータを送信することができない。
【００１３】
よって、ケーブルの長さ、パネル上の機能選択ボタンの不足に制限されて、携帯者が操作する場合に不便で、実用的でなかった。
【発明の開示】
【発明が解決しようとする課題】
【００１４】
この発明は、体積が小さく、構造が簡単な感情を感知する携帯部材を具えた遠端で制御する医療装置を提供することを課題とする。
【課題を解決するための手段】
【００１５】
そこで本発明者は、従来の技術に鑑み鋭意研究を重ねた結果、携帯部材と、遠端で制御する医療装置とを含んでなり、携帯部材は内部に手指の温度を測定する感温手段と、処理ユニットと、ワイヤレスで送受信する送受信ユニットとを具えてなり、外部に手指に環状に設けてなる携帯手段を設けてなり、該感温手段が、手指の表面に対応して設けられ、該処理ユニットが該感温手段と電気的に接続し、感温手段が測定した信号を運算し、送受信ユニットが該処理ユニットと電気的に接続し、該処理ユニットが取得した温度データが送受信ユニットを介してワイヤレスで遠端で制御する医療装置に送信され、遠端で制御する医療装置は、内部に前述の送受信ユニットとワイヤレスで接続する送受信モジュールと、上述の送受信モジュールと電気的に接続する制御ユニットとを具えてなり、該制御ユニットが出力・入力ユニットに電気的に接続して、制御ユニットで設定した指示が送受信モジュールで前述の携帯部材に送信され、必要な測定方法が実行される感情を感知する携帯部材を具えた遠端で制御する医療装置の構造によって課題を解決できる点に着眼し、係る知見に基づき本発明を完成させた。
以下、この発明について具体的に説明する。
【００１６】
請求項１に記載する携帯部材と、遠端で制御する医療装置とを含んでなり、
該携帯部材は内部に手指の温度を測定する感温手段と、処理ユニットと、ワイヤレスで送受信する送受信ユニットとを具えてなり、外部に手指に環状に設けてなる携帯手段を設けてなり、該感温手段が、手指の表面に対応して設けられ、該処理ユニットが該感温手段と電気的に接続し、感温手段が測定した信号を運算し、送受信ユニットが該処理ユニットと電気的に接続し、該処理ユニットが取得した温度データが送受信ユニットを介してワイヤレスで遠端で制御する医療装置に送信され、
該遠端で制御する医療装置は、内部に前述の送受信ユニットとワイヤレスで接続する送受信モジュールと、上述の送受信モジュールと電気的に接続する制御ユニットとを具えてなり、該制御ユニットが出力・入力ユニットに電気的に接続して、制御ユニットで設定した指示が送受信モジュールで前述の携帯部材に送信され、必要な測定方法が実行される。
【００１７】
請求項２に記載の感情を感知する携帯部材を具えた遠端で制御する医療装置は、請求項１に記載の遠端で制御する医療装置が、携帯電話、マルチメディアプレイヤー、ＰＤＡなど携帯型コンピュータ、或いはコンピュータである。
【００１８】
請求項３に記載の感情を感知する携帯部材を具えた遠端で制御する医療装置は、請求項１に記載の処理ユニットがメモリに接続する。
【００１９】
請求項４に記載の感情を感知する携帯部材を具えた遠端で制御する医療装置は、請求項１に記載の出力・入力ユニットが、表示器と、キーボードか、或いはデータ送受信インタフェイスに接続し、制御ユニットの内部データを外部で設定を入力するか、修正することができる。
【００２０】
請求項５に記載の感情を感知する携帯部材を具えた遠端で制御する医療装置は、請求項１に記載の医療装置が、インターネットに接続し、医者が遠端を介して随時、携帯者の温度データを取得できて、監視・制御及び治療を実施することができる構造からなる。
【００２１】
請求項６に記載の感情を感知する携帯部材を具えた遠端で制御する医療装置は、請求項１に記載の医療装置が、通信システムと遠端サーボモータとに接続して、医者が携帯者の携帯部材から送信される温度の信号を取得して、携帯者に直接、オンラインで診断することができる構造からなる。
【００２２】
請求項７に記載の感情を感知する携帯部材を具えた遠端で制御する医療装置は、請求項１に記載の携帯部材が、湾曲できる可撓性を具えてなり、携帯者の手指に密着して位置決めすることができる構造からなる。
【発明の効果】
【００２３】
この発明の感情を感知する携帯部材を具えた遠端で制御する医療装置は、体積が小さいため、どのような人でも携帯することができ、操作方法が簡単であるという効果を有する。
【発明を実施するための最良の形態】
【００２４】
この発明は、体積が小さく、構造が簡単な感情を感知する携帯部材を具えた遠端で制御する医療装置であって、携帯部材と、遠端で制御する医療装置とを含んでなり、携帯部材は内部に手指の温度を測定する感温手段と、処理ユニットと、ワイヤレスで送受信する送受信ユニットとを具えてなり、外部に手指に環状に設けてなる携帯手段を設けてなり、該感温手段が、手指の表面に対応して設けられ、該処理ユニットが該感温手段と電気的に接続し、感温手段が測定した信号を運算し、送受信ユニットが該処理ユニットと電気的に接続し、該処理ユニットが取得した温度データが送受信ユニットを介してワイヤレスで遠端で制御する医療装置に送信され、遠端で制御する医療装置は、内部に前述の送受信ユニットとワイヤレスで接続する送受信モジュールと、上述の送受信モジュールと電気的に接続する制御ユニットとを具えてなり、該制御ユニットが出力・入力ユニットに電気的に接続して、制御ユニットで設定した指示が送受信モジュールで前述の携帯部材に送信され、必要な測定方法が実行される。
係る構成の感情を感知する携帯部材を具えた遠端で制御する医療装置について、その構造と特徴を詳述するために具体的な実施例を挙げ、以下に説明する。
【実施例】
【００２５】
図１、図２は、この発明の遠端で制御し、感情を感知する手指の携帯具を示したものである。
【００２６】
図面によれば、該携帯具は、携帯部材１と、遠端で制御する医療装置２とを含んでなる。
【００２７】
該携帯部材１は、体積の小さい機体からなり、該機体は内部と外部に区分することができる。
【００２８】
該内部には手指の皮膚の体温を測定する感温手段１１と、処理ユニット１２と、ワイヤレスで送受信する送受信ユニット１３とが設けられる。該外部には手指の外側に環状に設けてなる携帯手段１４を設けてなる。
【００２９】
該感温手段１１は、手指の表面に対応して設けられる。
【００３０】
該処理ユニット１２は内部にメモリを具えてなり、感温手段１１と電気的に接続し、感温手段１１が測定した温度データの信号を運算処理、保存記憶する。
【００３１】
該送受信ユニット１３は、処理ユニット１２と電気的に接続する。該処理ユニット１２が得た手指の温度データは、送受信ユニット１３を介してワイヤレスで送信されて、遠端が受信する。
【００３２】
該携帯手段１４は、湾曲する可撓性を具えてなり、携帯者の手指に密着して位置決めすることができる。
【００３３】
遠端で制御する医療装置２は、電子通信機器（携帯電話、マルチメディア機器、ＰＤＡなど携帯型コンピュータ、或いはコンピュータなど）であって、上述の送受信ユニット１３とワイヤレス接続する送受信モジュール２１と、上述の送受信モジュール２１と電気的に接続する制御ユニット２２とを内部に設けてなる。
【００３４】
該制御ユニット２２は、出力・入力ユニット２３と電気的に接続する。該出力・入力ユニット２３は、医者（或いは携帯者）が制御ユニット２２のデータを外部で入力設定、或いは修正するために供し、表示器と、キーボードか、或いはデータ送受信インタフェイスとを接続したものである。
【００３５】
該遠端で制御する医療装置２は、インターネットを介して接続するか、或いは通信システムと遠端サーボモータに接続し、医者が随時、携帯者の手指の携帯部材１から送信された手指の温度の信号を取得することができる。
【００３６】
遠端で制御する医療装置２を通して測定方法（測定する時間の設定、標準時間の設定など）を制御、管理して直接、携帯者に治療、及びアドバイスを実施するか、或いは医者が携帯者の手指の温度データを即時に取得して携帯者に直接、オンラインで治療することができる。
【００３７】
図２に開示するように、上述の感情を感知する手指の携帯部材１は、遠端で制御する医療装置２に接続する。手指の温度の測定及び遠端で制御する方法を説明する。
【００３８】
遠端で制御する医療装置２は、医者が出力・入力ユニット２３で手指の携帯部材１に入力した測定方法の設定が制御ユニット２２に指示される。
【００３９】
該制御ユニット２２は、送受信モジュール２１と電気的に接続し、ワイヤレスで携帯部材１へ信号を送信する。
【００４０】
該携帯部材１の送受信ユニット１３が信号を受信すると、遠端で制御する医療装置２が送信する設定が処理ユニット１２に入力される。
【００４１】
該処理ユニット１２が感温手段１１に必要な測定方法の執行を制御する。携帯者が手指に携帯部材１を設けると、携帯部材１が様々な測定機能の設定が起動する。
【００４２】
携帯部材１は携帯者の手指に設けると、携帯部材１の感温手段１１が手指の表面温度を感知し、即時に測定し、その信号が処理ユニット１２に入力される。
【００４３】
該処理ユニット１２が感温手段１１の信号を運算して得られた温度データは、電気的に接続する送受信ユニット１３から遠端で制御する医療装置２に送信される。
【００４４】
該遠端で制御する医療装置２の送受信モジュール２１がデータを受信して、制御ユニット２２に送信する。
【００４５】
該制御ユニット２２が測定結果を処理した後、電気的に接続する出力・入力ユニット２３に表示され、医者（或いは携帯者）に測定した温度データを通知する。
【００４６】
よって、携帯者は当時の感情、或いはストレスの反応を確認することができるとともに、出力・入力ユニット２３で記録、監視・制御を行うことができる。
【００４７】
医者は直接、携帯者の感情やストレスの改善に必要な心理療法を実施することができる。
【００４８】
図３は、上述の遠端で制御する医療装置２が、制御ユニット２２を介して携帯部材１の測定方法の設定を制御する以外に、出力・入力ユニット２３とインターネットとを接続するか、或いは通信システムと遠端サーボモータとの接続を利用して医者が随時に携帯者の携帯部材から温度の信号を得ることができる。
【００４９】
遠端で制御する医療装置２を介して測定方法（測定する時間など）の設定を制御、管理することができるため、医者が直接、携帯者に治療、或いはアドバイスを実施するために便利であるか、或いは医者は即時に携帯者の温度のデータを取得して、インターネットを介して直接、携帯者に感情、或いはストレスを解消させる心理療法を行うことができる。
【００５０】
このように、この発明の医療装置は、手指の携帯部材１、及び遠端で制御する医療装置を実際に使用する場合、携帯部材１の携帯手段１４の可撓性で調整できる特性を利用し、手指に設ける場合、被測定者の異なる手指のサイズに合わせて調整して位置決めすることができ、感温手段１１が性格に手指の表面の温度を測定するために便利で、処理ユニット１２が信号を正確に運算することを補助する。
【００５１】
図４に開示するように、手指の携帯部材１の内部に設けられた処理ユニット１２と、送受信ユニット１３と、遠端で制御する医療装置２とは、ワイヤレスで接続されているため、携帯部材１は複数の電子部品で接続する必要がない。
【００５２】
よって、体積も大幅に縮小し、小型に形成することができるため、子供や手指の比較的小さい携帯者でも適宜に携帯することができる。
【００５３】
また、遠端で制御する医療装置２を介して携帯部材１の設定方法を制御するとともに、遠端で制御する医療装置２で即時に測定結果のデータを取得することができるため、携帯者と医者とが病院などで面談して、時間とコストのかかる医療行為を必要とすることなく、即時に、且つ有効に、携帯者の感情の状態を把握して適宜な調整、及び改善を行って医療効果を高めることができる。
【００５４】
甚だしくは、インターネット、或いは通信システムと遠端サーボモータとを運用してオンラインで感情、或いはストレスを管理する心理療法を実施することができるため、医療の無駄を有効に削減し、医療を幅広く普及させて実質的な効果を得ることができる。
【００５５】
また、この発明は、従来の製品のようにパネルや、機能選択ボタン、電子部品などを設ける必要がないため、体積を大幅に縮小することができ、携帯者の手指のサイズに制限を受けることなくだれでも携帯することができる。
【００５６】
さらに、医療装置ないの制御ユニットに、従来のパネル、機能選択ボタン、電子部品などを移動して、測定方法の設定を行えるようにしたため、操作が簡単で、便利になり、携帯者、或いは他の人が適宜な操作を行わなかったため、測定結果に誤りが生じるなども防ぐことができる。
【００５７】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００５８】
【図１】この発明の感情を感知する携帯部材を具えた遠端で制御する医療装置を示した斜視図である。
【図２】この発明の感情を感知する携帯部材を具えた遠端で制御する医療装置の作動の順序を示した説明図である。
【図３】この発明の感情を感知する携帯部材を具えた遠端で制御する医療装置を手指に設けた状態を示した説明図である。
【図４】この発明の感情を感知する携帯部材を具えた遠端で制御する医療装置を手指に形態して測定している状態を示した説明図である。
【符号の説明】
【００５９】
１       携帯部材
１１     感温手段
１２     処理ユニット
１３     送受信ユニット
１４     携帯手段
２       遠端で制御する医療装置
２１     送受信モジュール
２２     制御ユニット
２３     出力・入力ユニット
【図１】
2009529385.tif 000003
【図２】
2009529385.tif 000004
【図３】
2009529385.tif 000005
【図４】
2009529385.tif 000006
【国際調査報告】
2009529385.tif 000007
2009529385.tif 000008
2009529385.tif 000009
2009529385.tif 000010
2009529385.tif 000011
2009529385.tif 000012